(57)【要約】【課題】  同電位を保持しつつ高いシールド効果を保持することのできる通信機用ブランクパネルを提供する。【解決手段】  導電性部材１１を、通信機ラック３０においてカード状のプリント配線パネル２０を挿入する挿入口３１の配列方向に沿って延ばすことができるので、挿入口３１の幅に関係なく未使用部分の挿入口３１を一度に覆うことができ、高いシールド効果を保持することが出来る。また、新たにカード状の複数のプリント配線パネル２０を装着する際には、導電性部材１１を縮小して挿入口３１を開けるので廃棄材が発生せず、従来のようにブランクパネルを処分する手間を省くことができる。また、導電性部材１１なので、ブランクパネル１０を容易に同電位にすることができる。【選択図】  図１
2006041076.tif 000002
【特許請求の範囲】
【請求項１】
カード状の複数のプリント配線パネルを各々挿入口から挿入して装着可能な通信機ラックの未使用部分を覆う通信機用ブランクパネルであって、
前記挿入口の配列方向に沿って伸縮自在の導電性部材を有することを特徴とする通信機用ブランクパネル。
【請求項２】
前記導電性部材が面状部材であることを特徴とする請求項１記載の通信機用ブランクパネル。
【発明の詳細な説明】
【技術分野】
【０００１】
本発明は、カード状の複数のプリント配線パネルを各々挿入口から挿入して装着可能な通信機ラックの未使用部分を覆う通信機用ブランクパネルに関するものである。
【背景技術】
【０００２】
従来の通信機用ブランクパネルとしては、図５に示すようなものが開示されている（例えば特許文献１参照）。
図５に示すように、特許文献１に開示されている通信機用ブランクパネル１００は、収納するパッケージ１０１をガイドする図示省略のガイド部上を含むガイドレール板上１０２と、同じく収納するパッケージ１０１をガイドするガイド部下１０３を含むガイドレール板下１０４とを有して構成するサブラック１０５に取り付けられる。
このブランクパネル１００は、サブラック１０５のパッケージ１０１を挿入するパッケージ挿入口の上部に設けられている図示省略の回転機構部を回転軸にして上下に回転するブランクパネル上１００ａと、ガイドレール板下１０４のパッケージ挿入口に設けられている図示省略の回転機構部を回転軸にして上下に回転するブランクパネル下１００ｂとから構成されている。
なお、ブランクパネル上１００ａおよびブランクパネル下１００ｂには、各々パッケージ１０１の挿入の際にガイドするガイド１０６が設けられている。
【特許文献１】特開平１１−３４０６５５号公報（図１）
【発明の開示】
【発明が解決しようとする課題】
【０００３】
ところで、従来の通信機用ブランクパネルにおいては、前述したように、パッケージを挿入するスロットごとにブランクパネルが設けられているため、シールド性に欠け、内部の冷却用の風が外部に漏れたり、外部からの埃の進入等が生じる虞れがあるという問題があった。
また、各ブランクパネルを同電位に保つために、隣接するブランクパネルを電気的に接触させるためのフィンガー（端子）を設ける必要があり、製作が面倒であるという問題があった。
【０００４】
本発明は、従来の問題を解決するためになされたもので、同電位を保持しつつ高いシールド効果を保持することのできる通信機用ブランクパネルを提供することを目的とする。
【課題を解決するための手段】
【０００５】
本発明の通信機用ブランクパネルは、カード状の複数のプリント配線パネルを各々挿入口から挿入して装着可能な通信機ラックの未使用部分を覆う通信機用ブランクパネルであって、前記挿入口の配列方向に沿って伸縮自在の導電性部材を有する構成を有している。
【０００６】
この構成により、導電性部材を、通信機ラックにおいてカード状のプリント配線パネルを挿入する挿入口の配列方向に沿って延ばすことができるので、挿入口の幅に関係なく未使用部分の挿入口を一度に覆うことができる。
また、新たにカード状の複数のプリント配線パネルを装着する際には、導電性部材を縮小して挿入口を開けるので廃棄材が発生せず、従来のようにブランクパネルを処分する手間を省くことができる。
また、導電性部材なので、ブランクパネルを容易に同電位に保持することができる。
【０００７】
また、本発明にかかる通信機用ブランクパネルは、前記導電性部材が面状部材である構成を有している。
【０００８】
この構成により、導電性部材が面状部材であるので、１枚ずつブランクパネルを設ける場合と比較して高いシールド効果を確保することができる。
ここで、伸縮可能な面状部材としては、シャッター扉と同じ構造のものや導電性材料からなる布のようなものを例示することができる。
【発明の効果】
【０００９】
本発明は、挿入口の配列方向に沿って伸縮自在の導電性部材を設けることにより、未使用部分の挿入口を一度に覆うことができ高いシールド効果を得ることができる。
また、新たにカード状の複数のプリント配線パネルを装着する際には、導電性部材を縮小して挿入口を開けるので廃棄材が発生せず、従来のようにブランクパネルを処分する手間を省くことができる。
また、導電性部材なので、ブランクパネルを容易に同電位にすることができる。
【発明を実施するための最良の形態】
【００１０】
以下、本発明の実施形態の通信機用ブランクパネルについて、図面を用いて説明する。
図１（Ａ）は本発明の実施形態の通信機用ブランクパネルを示す断面図、図１（Ｂ）は図１（Ａ）中Ｂ方向から見た正面図、図２（Ａ）は通信機用ブランクパネルの断面図、図２（Ｂ）は通信機用ブランクパネルの正面図、図２（Ｃ）は通信機用ブランクパネルの側面図、図３は通信機用ブランクパネルの斜視図、図４は通信機ラックの１例を示す正面図である。
【００１１】
図１（Ａ）、（Ｂ）に示すように、この通信機用ブランクパネル１０は、カード状の複数のプリント配線パネル２０を各々挿入口３１から挿入して装着可能な通信機ラック３０の未使用部分３１ａを覆うものであり、挿入口３１の配列方向（図１において左右方向）に沿って伸縮自在の導電性部材１１を有している。
【００１２】
図４に示すように、通信機ラック３０は、例えば無線基地局装置として、カード状のプリント配線パネル２０を縦にして装着するためのスロット３２（図１（Ａ）参照）が横方向に多数並んでおり、前面には挿入口３１（図１（Ａ）参照）が開口している
【００１３】
図１（Ａ）、（Ｂ）に示すように、プリント配線パネル２０が実装されていないスロット３２の前面（図１（Ａ）においては下側面）は、通信機用ブランクパネル１０により覆われている。
図２および図３に示すように、通信機用ブランクパネル１０は、プリント配線パネル２０と同等の大きさでスロット３２に挿入可能な平面部１５ａを備えたベースプレート１５を有している。平面部１５ａの前端には、挿入口３１近傍のフレーム３３に取付可能な取付部１６が折り曲げ形成されており、取付部１６には縦にスリット１６ａが設けられている。
取付部１６は、上下端に設けられている取付ネジ１６ｂによって、通信機ラック３０のフレーム３３に設けられているネジ穴に取り付けられるようになっている。また、平面部１５ａの上下端には、導電性部材１１をガイドするガイド爪１５ｂが所定間隔で折り曲げ形成されており、奥側の端部には例えばゼンマイバネのようなバネ材によって回転が付勢されている軸１２が設けられている。
【００１４】
導電性部材１１は、例えば、シャッター扉や導電性の材料からなる布等の面状部材から構成されており、基端部はベースプレート１５に設けられている軸１２によって巻き取られる方向に付勢されている。一方、導電性部材１１の先端には、通信機ラック３０のフレーム３３に取り付けるための取付部材１３が設けられており、取付部材１３の上下両端にはフレーム３３に設けられているネジ穴に螺合する固定ネジ１４が設けられている。
なお、取付部材１３は平面状部材でもよいが、図３に示すように断面Ｌ字状に曲げて、折り曲げ部１４ａがスロット３２の挿入口３１から入るようにしてもよい。
従って、導電性部材１１は常時軸１２に巻き取られる方向に付勢されており、未使用の状態では縮んでいる。一方、使用する場合には、付勢力に抗して導電性部材１１を取付部１６のスリット１６ａから引き出して延長することができるようになっている。
【００１５】
このような通信機用ブランクパネル１０は、多数のスロット群３４の例えば右端のスロット３２に内装することができ、プリント配線パネル２０は、各スロット群における左端のスロット３２から装着して行く。従って、すべて未使用のスロット群では、右端のスロット３２から通信機用ブランクパネル１０の導電性部材１１を引き出して延ばし、先端の取り付け部材１３をスロット群３４の左端のスロット３２の挿入口３１に取り付ける。導電性部材１１は巻き取る方向に付勢されているので、先端を固定するだけで導電性部材１１は張った状態で取り付けることができる。
【００１６】
一方、スロット３２にプリント配線パネル２０を装着する場合には、取付部材１３を外して右側へずらし、使用されないスロット３２の左端のスロット３２に取り付けなおす。  このとき、導電性部材１１の不要部分は軸１２に巻き取られるので、導電性部材１１は常に張った状態で取り付けることができる。
【００１７】
このような本発明の実施形態の通信機用ブランクパネル１０によれば、挿入口３１の配列方向に沿って伸縮自在の導電性部材１１を設けたので、導電性部材１１を通信機ラック３０においてカード状のプリント配線パネル２０を挿入する挿入口３１の配列方向に沿って延ばすことができ、挿入口３１の幅に関係なく未使用部分の挿入口３１を一度に覆うことができる。
このため、従来のようにブランクパネルを１枚ずつ設ける場合と比較して、高いシールド効果を有する。
また、新たにプリント配線パネル２０を装着する際には、導電性部材１１を縮小して挿入口３１を開けるので廃棄材が発生せず、従来のようにブランクパネルを処分する手間を省くことができる。
また、導電性部材１１を用いているので、ブランクパネル１０を容易に同電位にすることができる。
【００１８】
なお、以上の説明では、通信機用ブランクパネル１０を通信機ラック３０のスロット群の右端３２に取り付け、プリント配線パネル２０をスロット群３４における左端のスロット３２から装着する場合について説明したが、これに限らず、通信機用ブランクパネル１０をスロット群３４における左端のスロット３２に設けるとともにプリント配線パネル２０をスロット群３４の右端のスロット３２から装着することもできる。さらに、スロット群３４の途中位置に通信機用ブランクパネル１０を取り付けることも可能である。
また、前述した実施形態では、スロット３２に通信機用ブランクパネル１０を取り付ける場合について説明したが、スロット３２とは別個に設置場所を設けて通信機用ブランクパネル１０を取り付けることもできる。
【産業上の利用可能性】
【００１９】
以上のように、本発明に係る通信機用ブランクパネルは、挿入口の配列方向に沿って伸縮自在の導電性部材を設けることにより、未使用部分の挿入口を一度に覆うことができるので、高いシールド効果を得ることができる。
また、新たにカード状の複数のプリント配線パネルを装着する際には、導電性部材を縮小して挿入口を開けるので廃棄材が発生せず、従来のようにブランクパネルを処分する手間を省くことができる。
また、導電性部材なので、ブランクパネルを容易に同電位にすることができるという効果を有し、カード状の複数のプリント配線パネルを各々挿入口から挿入して装着可能な通信機ラックの未使用部分を覆う通信機用ブランクパネル等として有用である。
【図面の簡単な説明】
【００２０】
【図１】（Ａ）本発明の実施の形態における通信機用ブランクパネルを装着した通信機ラックの断面図、  （Ｂ）（Ａ）中Ｂ方向から見た正面図である。
【図２】（Ａ）本発明の実施の形態にかかる通信機用ブランクパネルの平面図、  （Ｂ）本発明の実施の形態にかかる通信機用ブランクパネルの側面図、  （Ｃ）本発明の実施の形態にかかる通信機用ブランクパネルの正面図である。
【図３】本発明の実施の形態にかかる通信機用ブランクパネルの斜視図である。
【図４】通信機ラックの正面図である。
【図５】従来の通信機用ブランクパネルの斜視図である。
【符号の説明】
【００２１】
１０    通信機用ブランクパネル
１１    導電性部材
２０    プリント配線パネル
３０    通信機ラック
３１    挿入口
３１ａ  未使用部分
【図１】
2006041076.tif 000003
【図２】
2006041076.tif 000004
【図３】
2006041076.tif 000005
【図４】
2006041076.tif 000006
【図５】
2006041076.tif 000007